(57)【要約】【課題】断熱材と外装材とを正確な位置に容易に取り付けることができる壁材留具を提供する。【解決手段】壁下地に断熱材と外装材とを取り付けるための壁材留具Ａに関する。壁下地２に固定するための固定片２０と、固定片２０の前側に設けられて断熱材を支持するための断熱材支持片２１と、断熱材支持片２１に設けられて外装材を保持するための外装材保持部２２と、断熱材支持片２１を下側から支持するための補強支持片２３とを備える。【選択図】図１
2010255234.tif 000002
【特許請求の範囲】
【請求項１】
壁下地に断熱材と外装材とを取り付けるための壁材留具であって、壁下地に固定するための固定片と、固定片の前側に設けられて断熱材を支持するための断熱材支持片と、断熱材支持片に設けられて外装材を保持するための外装材保持部と、断熱材支持片を下側から支持するための補強支持片とを備えて成ることを特徴とする壁材留具。
【請求項２】
断熱材支持片を備えた受け部材と、補強支持片を備えたベース部材とを組み合わせて成ることを特徴とする請求項１に記載の壁材留具。
【請求項３】
断熱材支持片に支持された断熱材を係止するための係止部を外装材保持部に外装材が保持された際の外装材の裏面と壁下地に固定片が固定された際の壁下地との間に設け、係止部に断熱材の表面に当接させるための表面当接部を略円弧状に形成して成ることを特徴とする請求項１又は２に記載の壁材留具。
【請求項４】
断熱材支持片に支持された断熱材の裏面に当接させるための裏面当接部を、表面当接部に対して左右にずれた位置に設けて成ることを特徴とする請求項３に記載の壁材留具。
【発明の詳細な説明】
【技術分野】
【０００１】
本発明は、断熱材と外装材とからなる断熱壁を施工する際に用いられる壁材留具に関するものである。
【背景技術】
【０００２】
従来より、断熱材と外装材とからなる断熱壁を壁下地の外側（屋外側）に形成することが行われており、木造建物、鉄骨建物、鉄筋コンクリート（ＲＣ）造建物などの新築とリフォームに利用されている。このような断熱壁を形成するにあたっては、断熱材と外装材とを壁下地に取り付けて保持するための壁材留具が用いられている（例えば、特許文献１参照）。
【０００３】
図１５（ａ）に特許文献１に記載された壁材留具Ａの一例を示す。この壁材留具Ａは、壁下地２の表面に固定される基板１０表面から断熱材３と外装材４を支持するための支持板１１が延出され、該支持板１１の表裏面には、前記基板１０表面にあてがわれる断熱材３を位置決めする係止片１２が立設され、該位置決め用の係止片１２から前記支持板１１の先端側に必要な空間幅Ｓを隔てて外装材４の端部に掛かり合う一対の位置決め用の係止片１３、１４が前記支持板１１に立設されたものである。
【０００４】
そして、上記壁材留具Ａを用いて断熱壁を構築するにあたっては、以下のようにして行う。まず、図１５（ｂ）に示すように、柱や桁などの壁下地２に基板１０を釘などの止着具７を打ち込んで固定する。そして、発泡樹脂などからなる断熱材３を基板１０と係止片１２との間に設置し、次いで繊維補強セメント板などの外装材４を係止片１３、１４に設置する。外装材４は、上下端縁に互いに嵌合する接合用段部が形成され、係止片１３は外装材４の裏面に当接され、係止片１４は外装材４に形成した嵌合溝に係合される。このように断熱材３、外装材４の下端を設置して位置決めした後、これらの上端部に上記とは別の壁材留具Ａを当てがい、壁下地２に基板１０を釘などの止着具７を打ち込んで固定する。この後、断熱材３、外装材４の上端部に配置した壁材留具Ａの上に上記とは別の断熱材３と外装材４とを上記と同様に載置する。このようにして壁材留具Ａと断熱材３と外装材４とを順次壁下地２に取り付けていくことによって、壁下地２の外側に断熱壁を形成することができる。
【先行技術文献】
【特許文献】
【０００５】
【特許文献１】特開２００３−７４１３２号公報
【発明の概要】
【発明が解決しようとする課題】
【０００６】
しかし、上記の従来例では、断熱材３と外装材４の重量を片持ちの支持板１１で支持しなければならず、安価な薄物の壁材留具Ａを形成した場合に、断熱材３と外装材４を支持する支持板１１が撓んだり曲がったりして断熱材３と外装材４を正確な位置に取り付けるのが難しいという問題があった。
【０００７】
本発明は上記の点に鑑みてなされたものであり、断熱材と外装材とを正確な位置に容易に取り付けることができる壁材留具を提供することを目的とするものである。
【課題を解決するための手段】
【０００８】
本発明の請求項１に係る壁材留具Ａは、壁下地２に断熱材３と外装材４とを取り付けるための壁材留具Ａであって、壁下地２に固定するための固定片２０と、固定片２０の前側に設けられて断熱材３を支持するための断熱材支持片２１と、断熱材支持片２１に設けられて外装材４を保持するための外装材保持部２２と、断熱材支持片２１を下側から支持するための補強支持片２３とを備えて成ることを特徴とするものである。
【０００９】
本発明の請求項２に係る壁材留具Ａは、請求項１において、断熱材支持片２１を備えた受け部材Ｈと、補強支持片２３を備えたベース部材Ｂとを組み合わせて成ることを特徴とするものである。
【００１０】
本発明の請求項３に係る壁材留具Ａは、請求項１又は２において、断熱材支持片２１に支持された断熱材３を係止するための係止部３０を外装材保持部２２に外装材４が保持された際の外装材４の裏面と壁下地２に固定片２０が固定された際の壁下地２との間に設け、係止部３０に断熱材３の表面に当接させるための表面当接部２５を略円弧状に形成して成ることを特徴とするものである。
【００１１】
本発明の請求項４に係る壁材留具Ａは、請求項３において、断熱材支持片２１に支持された断熱材３の裏面に当接させるための裏面当接部２６を、表面当接部２５に対して左右にずれた位置に設けて成ることを特徴とするものである。
【発明の効果】
【００１２】
請求項１の発明では、断熱材３及び外装材４の重量がかかる断熱材支持片２１を補強支持片２３で支持して補強することができ、安価な薄物の壁材留具Ａを形成した場合であっても断熱材３及び外装材４の重量で断熱材支持片２１で撓んだり曲がったりすることがなく、断熱材３及び外装材４を正確な位置に容易に取り付けることができるものである。
【００１３】
請求項２の発明では、受け部材Ｈとベース部材Ｂとを別々に形成することができ、断熱材支持片２１と補強支持片２３とを一体的に形成する場合に比べて、複雑な形状でも容易に形成することができるものである。
【００１４】
請求項３の発明では、係止部３０に設けた略円弧状の表面当接部２５を断熱材３の表面に当接して係止することができ、断熱材３を係止部３０で傷つけないようにして係止することができるものであり、また、係止部３０に対する断熱材３の表面の引っかかりが少なくなって挿入しやすくなるものである。
【００１５】
請求項４の発明では、表面当接部２５と裏面当接部２６とで断熱材３をやや捻れた状態で挟持することができ、断熱材３の取付強度を向上させることができるものである。
【図面の簡単な説明】
【００１６】
【図１】本発明の壁材留具のスタータ金具の一例を示す斜視図である。
【図２】同上の分解斜視図である。
【図３】同上の平面図である。
【図４】同上の壁材留具の中間金具の一例を示す斜視図である。
【図５】同上の分解斜視図である。
【図６】同上の平面図である。
【図７】同上のスタータ金具の使用状態を示す断面図である。
【図８】同上の中間金具の使用状態を示す断面図である。
【図９】同上の断熱壁の一部を示す斜視図である。
【図１０】同上の断熱壁の上部を示す断面図である。
【図１１】同上のスタータ金具の他の使用状態を示す断面図である。
【図１２】同上の中間金具の他の使用状態を示す断面図である。
【図１３】同上の他の断熱壁の上部を示す断面図である。
【図１４】同上の他の壁材金具を示し、（ａ）（ｂ）は断面図である。
【図１５】（ａ）は従来の壁材留具を示す斜視図、（ｂ）は従来の壁材留具を用いた断熱壁の一部を示す断面図である。
【発明を実施するための形態】
【００１７】
以下、本発明を実施するための最良の形態を説明する。
【００１８】
本発明の壁材留具Ａは、断熱壁の下部に設けられるスタータ金具Ｓと、スタータ金具Ｓよりも上方で用いられる中間金具Ｍとの二種類があり、また、スタータ金具Ｓと中間金具Ｍとはそれぞれ受け部材Ｈとベース部材Ｂとで構成されている。尚、この実施の形態では、受け部材Ｈとベース部材Ｂの二部材からなるものを示すが、一部材からなるものであってもよい。受け部材Ｈとベース部材Ｂはいずれも薄い金属板を折り曲げ加工などして形成されるものである。従って、アルミニウムの押出成形で壁材留具Ａを形成する場合に比べて、複雑な形状であっても容易に安価に製造することができるものである。金属板としては、厚み０．５〜１．５ｍｍで、亜鉛めっき鋼板、亜鉛とアルミニウムの合金めっき鋼板、亜鉛とアルミニウムとマグネシウムの合金めっき鋼板などの耐食性が高いものを用いることができるが、これに限定されるものではない。尚、スタータ金具Ｓのベース部材ＳＢは他の金具に比べて、強度確保の観点から、厚い金属板を用いることが好ましい。
【００１９】
図１、２に示すようにスタータ金具Ｓはその受け部材ＳＨとベース部材ＳＢとを前後に組み合わせて形成されるものである。受け部材ＳＨは、略水平に配置される断熱材支持片２１と、断熱材支持片２１の後端に略鉛直上向きに突設される結合片７０と、断熱材支持片２１の前端に設けられる外装材保持部２２とを備えて形成されている。
【００２０】
断熱材支持片２１には上側に突出する前後に長い載置部７２が設けられていると共に載置部７２の略中央部には上面から裏面側に向かって切り起こしにより形成された係着片７３が設けられている。また、結合片７０には横方向に並ぶ一個以上の固定孔７４が形成されていると共に、結合片７０の略中央部にはリベット孔７５が設けられている。この実施の形態では固定孔７４が略水平方向に三個並設されている。また、外装材保持部２２は、断熱材支持片２１の前端から下方に向かって突出する延設片７１と、延設片７１の下端に設けた上向き保持片４５及び下向き保持片４６とで形成されている。また、延設片７１の両方の側端部には係止部３０が形成されている。尚、この実施の形態では外装材保持部２２に係止部３０を一体に形成したが、断熱材支持片２１に形成してもよく、また、後述の固定片２０からＬ字状に前方に持ち出して形成してもよい。また、固定片２０から係止部３０を持ち出して形成する場合、この実施の形態では固定片２０が受け部材ＳＨの結合片７０とベース部材ＳＢの結合片７６を結合して形成されるため、結合片７０、７６のいずれか一方あるいは両方に係止部３０を形成することができる。
【００２１】
外装材保持部２２には二個の上向き保持片４５と一個の下向き保持片４６が形成されており、上向き保持片４５の間に下向き保持片４６を配置して、上向き保持片４５と下向き保持片４６とを横方向に並べて設けている。上向き保持片４５は延設片７１の前面下端から上方に向かって略倒く字状に突出して形成されるものであり、下向き保持片４６は延設片７１の前面下端から下方に向かって略倒Ｌ字状に突出して形成されるものである。尚、この実施の形態では、中間金具Ｍとの製造上の共通化のため、下向き保持片４６を形成しているが、スタータ金具Ｓにおいては、下向き保持片４６は実質上機能しないものであり、必ずしも形成する必要がないものである。
【００２２】
上記の延設片７１の側端部は断熱材支持片２１の側端よりも外側（側方）に突出しており、従って、一対の係止部３０は断熱材支持片２１の側端よりも外側に形成されている。また、各係止部３０は断熱材支持片２１よりも上側に突出しており、係止部３０の上部には表面当接部２５が形成されている。表面当接部２５は後側に向かって凸曲する略円弧状に形成されており、その先端部２５ａは鉛直方向よりも前側に傾斜した状態となっている。これにより、施工の際に断熱材３を断熱材支持片２１の上に載置した状態で、位置の微調整のために動かしても表面当接部２５で断熱材３を破損しないようにすることができる。また、係止部３０には延設片７１にまでわたってリブ９５が後面に突出して形成されている。
【００２３】
ベース部材ＳＢは、略鉛直に配置される結合片７６と、結合片７６の両側部から前側に向かって突出する一対の支え部７７と、支え部７７の上側において結合片７６の両側部から前側に向かって突出する裏面当接部２６とを備えて形成されている。
【００２４】
結合片７６には上記受け部材ＳＨの固定孔７４と対応して横方向に並ぶ一個以上の固定孔７８が形成されていると共に、結合片７６の略中央部にはリベット孔７９が設けられている。結合片７６の後面（屋内側に向く面）において、リベット孔７９の周縁部は凹んでおり、この凹み９６に後述のリベット８０の頭部が納まって結合片７６の後方には突出しないものであり、スタータ金具Ｓを壁下地２に取り付ける際にリベット８０の頭部が邪魔にならないようにすることができる。また、支え部７７は上下の水平片７７ａ、７７ａと、上下の水平片７７ａ、７７ａの間に架設される鉛直片７７ｂとで断面略コ字状に形成されるものであり、上側の水平片７７ａが補強支持片２３として形成されている。また、裏面当接部２６は上下に長く形成されるものであって、裏面側が開口する断面略コ字状に形成されている。
【００２５】
そして、スタータ金具Ｓを形成するにあたっては、ベース部材ＳＢの前側に受け部材ＳＨを配置し、ベース部材ＳＢの補強支持片２３の上に受け部材ＳＨの断熱材支持片２１を載置すると共にベース部材ＳＢの結合片７６の前面と受け部材ＳＨの結合片７０の後面とを当接し、ベース部材ＳＢのリベット孔７９と受け部材ＳＨのリベット孔７５とに中空リベットなどのリベット８０を差し込んでかしめる。このようにしてベース部材ＳＢと受け部材ＳＨとを一体に組み立ててスタータ金具Ｓを形成することができる。このとき、結合片７６と結合片７０とでスタータ金具Ｓの固定片２０を形成することができ、結合片７０に設けた固定孔７４と結合片７６に設けた固定孔７８とが前後に位置合わせされた状態となる。また、受け部材ＳＨの表面当接部２５とベース部材ＳＢの裏面当接部２６とは、前後に真正面に対向せずに、互いに左右にずれた位置に配置されている。具体的には、図３に示すように、裏面当接部２６は表面当接部２５よりも内側（断熱材支持片２１に近い方）に配置されている。
【００２６】
図４、５に示すように中間金具Ｍはその受け部材ＭＨとベース部材ＭＢとを前後に組み合わせて形成されるものである。受け部材ＭＨは、略水平に配置される断熱材支持片２１と、断熱材支持片２１の後端に略鉛直上向きに突設される結合片７０と、断熱材支持片２１の前端に設けられる外装材保持部２２とを備えて形成されている。
【００２７】
断熱材支持片２１には上側に突出する前後に長い載置部７２が設けられていると共に載置部７２の略中央部には上面から裏面側に向かって切り起こしにより形成された係着片７３が設けられている。また、結合片７０には横方向に並ぶ一個以上の固定孔７４が形成されていると共に、結合片７０の略中央部にはリベット孔７５が設けられている。この実施の形態では固定孔７４が略水平方向に三個並設されている。また、外装材保持部２２は、断熱材支持片２１の前端から下方に向かって突出する延設片７１と、延設片７１の下端に設けた上向き保持片４５及び下向き保持片４６とで形成されている。また、延設片７１の両方の側端部には係止部３０が形成されている。
【００２８】
外装材保持部２２には二個の上向き保持片４５と一個の下向き保持片４６が形成されており、上向き保持片４５の間に下向き保持片４６を配置して、上向き保持片４５と下向き保持片４６とを横方向に並べて設けている。上向き保持片４５は延設片７１の前面下端から上方に向かって略倒く字状に突出して形成されるものであり、下向き保持片４６は延設片７１の前面下端から下方に向かって略倒Ｌ字状に突出して形成されるものである。
【００２９】
また、係止部３０には一対の上係止部３０ａと一対の下係止部３０ｂとがある。上記の延設片７１の側端部は断熱材支持片２１の側端よりも外側（側方）に突出しており、一対の上係止部３０ａは断熱材支持片２１の側端よりも外側に形成されている。また、各上係止部３０ａは断熱材支持片２１よりも上側に突出しており、上係止部３０ａの上部には表面当接部２５が形成されている。表面当接部２５は後側に向かって凸曲する略円弧状に形成されている。また、一対の下係止部３０ｂは断熱材支持片２１の側端よりも外側に形成されている。また、各下係止部３０ｂは断熱材支持片２１よりも下側に突出しており、下係止部３０ｂ、３０ｂの下端間にわたるように表面当接部２５が形成されている。表面当接部２５は後側に向かって凸曲する略円弧状に形成されている。上下両方の表面当接部２５の先端部２５ａは鉛直方向よりも前側に傾斜した状態となっている。これにより、施工の際に断熱材３を断熱材支持片２１の上に載置して支持した状態で、位置の微調整のために動かしても表面当接部２５で断熱材３を破損しないようにすることができる。また、係止部３０には延設片７１にまでわたってリブ９５が後面に突出して形成されている。尚、下係止部３０ｂ、３０ｂ及びこれにわたって形成された表面当接部２５とを除去することにより、上記スタータ金具Ｓの受け部材ＳＨを形成することができる。
【００３０】
ベース部材ＭＢは、略鉛直に配置される結合片７６と、結合片７６の略中央部から前側に向かって切り起こして形成される舌片状の補強支持片２３と、結合片７６の両側部から前側に向かって突出する裏面当接部２６とを備えて形成されている。
【００３１】
結合片７６には上記受け部材ＭＨの固定孔７４と対応して横方向に並ぶ一個以上の固定孔７８が形成されていると共に、結合片７６の略中央部にはリベット孔７９が設けられている。結合片７６の後面（屋内側に向く面）において、リベット孔７９の周縁部は凹んでおり、この凹み９６に後述のリベット８０の頭部が納まって結合片７６の後方には突出しないものであり、中間金具Ｍを壁下地２に取り付ける際にリベット８０の頭部が邪魔にならないようにすることができる。また、裏面当接部２６は上下に長く結合片７６の上下の全長にわたって形成されるものであって、裏面側が開口する断面略コ字状に形成されている。
【００３２】
そして、中間金具Ｍを形成するにあたっては、ベース部材ＭＢの前側に受け部材ＭＨを配置し、ベース部材ＭＢの補強支持片２３を受け部材ＭＨの載置部７２の下側に差し込むと共に補強支持片２３の前端部を係着片７３の上側に係止することによって、補強支持片２３の上に受け部材ＭＨの断熱材支持片２１を載置する。また、ベース部材ＭＢの結合片７６の前面と受け部材ＭＨの結合片７０の後面とを当接し、ベース部材ＭＢのリベット孔７９と受け部材ＭＨのリベット孔７５とに中空リベットなどのリベット８０を差し込んでかしめる。このようにしてベース部材ＭＢと受け部材ＭＨとを一体に組み立てて中間金具Ｍを形成することができる。このとき、結合片７６と結合片７０とで中間金具Ｍの固定片２０を形成することができ、結合片７０に設けた固定孔７４と結合片７６に設けた固定孔７８とが前後に位置合わせされた状態となる。また、受け部材ＭＨの表面当接部２５とベース部材ＭＢの裏面当接部２６とは、前後に真正面に対向せずに、互いに左右にずれた位置に配置されている。具体的には、図６に示すように、裏面当接部２６は表面当接部２５よりも内側（断熱材支持片２１に近い方）に配置されている。
【００３３】
そして、上記のような壁材留具Ａを用いて断熱壁を形成するにあたっては、次のようにして行う。まず、図７に示すように、壁下地２の下部の表面に土台水切り５０とスタータ金具Ｓとを取り付ける。ここで、図７には壁下地２として既存壁（既存の建物の壁）が示してある。すなわち、既存壁である壁下地２は、土台３８の上面に柱や間柱などの構造材３９を立設し、土台３８と構造材３９の外面に板状の壁材５６を取り付けることによって形成されている。尚、上記既存壁の構造は図７のものに限定されるものではなく、一般的な木造住宅や鉄骨住宅の構造であっても良い。そして、スタータ金具Ｓの固定片２０の固定孔７４、７８にビスや釘等の止着具７を挿通し、土台水切り５０の上部と壁下地２の壁材５６と土台３８とに螺入することによって、壁下地２の表面（屋外側面）の下部に土台水切り５０とスタータ金具Ｓとを取り付ける。
【００３４】
次に、断熱材３をスタータ金具Ｓに支持させる。断熱材３はウレタンフォームやフェノールフォームなどの樹脂発泡体やグラスウールやロックウールなどの繊維集合体などで形成されるボードを使用することができる。そして、断熱材３の下端部を壁下地２に取り付けたスタータ金具Ｓの係止部３０の表面当接部２５と裏面当接部２６との間に差し込むと共に断熱材３をスタータ金具Ｓの断熱材支持片２１の載置部７２の上に載置することによって、断熱材３をスタータ金具Ｓの断熱材支持片２１に支持させる。このとき、表面当接部２５は断熱材３の下部の表面（前面）に当接し、裏面当接部２６は断熱材３の下部の裏面（後面）に当接するが、上記のように表面当接部２５と裏面当接部２６とは左右に位置ずれしているため、断熱材３がやや捻れた状態で表面当接部２５と裏面当接部２６とで挟持されることになる。また、断熱材３の厚み寸法と、表面当接部２５と裏面当接部２６の間の寸法とがほとんど同じであっても、断熱材３を撓ませながら表面当接部２５と裏面当接部２６との間に挿入しやすくなるものである。また、断熱材３と壁下地２の間には気密を確保するためのパッキン６７が設けられている。このパッキン６７により、下からの断熱材３と壁下地２の間の空間３３への空気の流れを止めて断熱効果がさらに向上している。
【００３５】
次に、外装材４をスタータ金具Ｓに支持させる。外装材４は繊維補強セメント板などで平板状に形成されるものであって、その下端には断面略逆Ｖ字状の溝部６１が形成されている。そして、外装材４の溝部６１を壁下地２に取り付けたスタータ金具Ｓの上向き保持片４５に差し込むことによって、外装材４をスタータ金具Ｓの外装材保持部２２に保持して支持させる。従って、外装材４は断熱材３の屋外側に配置された状態となる。
【００３６】
次に、スタータ金具Ｓで壁下地２の屋外側に配置された上記断熱材３と外装材４の上側に中間金具Ｍを取り付ける。中間金具Ｍを取り付けるにあたっては、図８に示すように、上記スタータ金具Ｓで支持した断熱材３の上端部を中間金具Ｍの下係止部３０ｂの表面当接部２５と裏面当接部２６との間に挿入すると共に、上記スタータ金具Ｓで支持した外装材４の上端の係止突部６２に中間金具Ｍの下向き保持片４６を係止し、この後、中間金具Ｍの固定片２０の固定孔７４、７８にビスや釘等の止着具７を挿通し、壁下地２に螺入することによって、壁下地２の表面（屋外側面）に中間金具Ｍを取り付ける。ここで、断熱材３の上端面は中間金具Ｍの断熱材支持片２１の下面に当接される。このようにしてスタータ金具Ｓで保持された上記断熱材３と外装材４の上側に中間金具Ｍを取り付けるが、中間金具Ｍは断熱材３と外装材４の幅方向に複数設けるようにすることができる。
【００３７】
次に、上記中間金具Ｍの上にさらに別の断熱材３を載置する。すなわち、新たな断熱材３の下端部を壁下地２に取り付けた上記中間金具Ｍの上係止部３０ａの表面当接部２５と裏面当接部２６との間に差し込むと共に断熱材３を中間金具Ｍの断熱材支持片２１の載置部２７の上に載置することによって、断熱材３を中間金具Ｍに保持して支持させる。このとき、表面当接部２５は断熱材３の下部の表面（前面）に当接し、裏面当接部２６は断熱材３の下部の裏面（後面）に当接するが、上記のように表面当接部２５と裏面当接部２６とは左右に位置ずれしているため、断熱材３がやや捻れた状態で表面当接部２５と裏面当接部２６とで挟持されることになる。また、上記と同様に断熱材３の厚み寸法と、表面当接部２５と裏面当接部２６の間の寸法とがほとんど同じであっても、断熱材３を撓ませながら表面当接部２５と裏面当接部２６との間に挿入しやすくなるものである。
【００３８】
また、必要に応じて、図９に示すように、断熱材支持片２１を挟んで上下に隣接する断熱材３、３の間に形成される隙間６５を閉塞するように気密テープ６６を貼着する。この気密テープ６６は通気性のない基材に粘着層を設けて形成されるテープ材であって、上下に隣接する断熱材３、３に亘って気密テープ６６を貼着することによって、隙間６５を閉塞して断熱性の低下を防止するものである。そして、この気密テープ６６を貼着する際には、上記外装材４の上端は断熱材支持片２１よりも下側に設けた下向き保持片４６に係止されているために、図９に示すように、外装材４の上端４ａが上記隙間６５よりも下側に位置することになる。従って、上記隙間６５を気密テープ６６で閉塞する際に、外装材４の上端４ａが邪魔にならず、気密テープ６６の貼着作業が行いやすくなるものである。
【００３９】
次に、上記中間金具Ｍにさらに別の外装材４を支持させる。すなわち、新たな外装材４の下端部の溝部６１を壁下地２に取り付けた上記中間金具Ｍの上向き保持片４５に差し込むことによって、外装材４を中間金具Ｍに保持して支持させる。ここで、この外装材４の下端で、下側の外装材４の上端の係止突部６２及び中間金具Ｍの外装材保持部２２を被覆する。
【００４０】
この後、中間金具Ｍに支持した上記断熱材３と外装材４の上側にさらに別の中間金具Ｍを取り付ける。この中間金具Ｍは上記と同様の方法で取り付けることができる。そして、所定数の中間金具Ｍと断熱材３と外装材４とを順次取り付ける。
【００４１】
図１０は断熱壁の上端付近を示すものであり、最上の断熱材３の上側には木胴縁９０が止着具７により壁下地２に取り付けられている。また、必要に応じて、最上の断熱材３の上面と木胴縁９０の下面との隙間６８を閉塞するために断熱材３と木胴縁９０に亘って気密テープを貼着してもよい。また、最上の外装材４と断熱材３との間及び最上の外装材４と木胴縁９０の間にはスペーサ６９が設けられており、この外装材４の表面（屋外面）からスペーサ６９を貫通して木胴縁９０に止着具７が螺入され、外装材４の上部が固定されている。さらに、最上の外装材４と軒天井９２の間には見切り縁９１が設けられている。このようにして断熱材３と外装材４及び壁材留具Ａからなる断熱壁を形成することができる。また、外装材４と断熱材３の間には表面当接部２５の厚み（外径）寸法分の空気層９３を形成することができる。
【００４２】
上記では既存の建物の壁の屋外側に断熱壁を形成する場合について説明したが、上記の壁材留具Ａを用いて、新築の建物の外壁を断熱壁として形成することができる。この場合、壁下地２は、基礎５２の上に設けられた土台３８と、土台３８に取り付けられる柱や間柱などの構造材３９で形成されている。また、壁下地２の表面（屋外側面）には透湿防水シート４７が全面に亘って取り付けられている。そして、まず、図１１に示すように、壁下地２の下部の土台３８の表面に土台水切り５０とスタータ金具Ｓとを取り付ける。土台水切り５０及びスタータ金具Ｓは上記と同様に形成されており、固定片２０と土台水切り５０の上部とに止着具７を挿通して土台３８に螺入することによって、壁下地２の表面（屋外側面）の下部に土台水切り５０とスタータ金具Ｓとを取り付ける。
【００４３】
次に、上記と同様にして、断熱材３及び外装材４をスタータ金具Ｓに支持させる。次に、スタータ金具Ｓで壁下地２の屋外側に配置された上記断熱材３と外装材４の上側に中間金具Ｍを取り付ける。中間金具Ｍを取り付けるにあたっては、上記と同様に行うことができ、スタータ金具Ｓで支持した断熱材３の上端部を中間金具Ｍの下係止部３０ｂと裏面当接部２６との間に挿入すると共に、上記スタータ金具Ｓで支持した外装材４の上端の係止突部６２に外装材保持部２２の下向き保持片４６を係止し、この後、固定片２０を止着具７により壁下地２の構造材３９に固定する。この後、図１２に示すように、上記と同様にして所定数の中間金具Ｍと断熱材３と外装材４とを順次取り付ける。
【００４４】
図１３は断熱壁の上端付近を示すものであり、最上の断熱材３の上側には木胴縁９０が止着具７により壁下地２の構造材３９に取り付けられている。この構造も上記既存壁を壁下地２とした場合と同様である。
【００４５】
本発明では、上記のような形態の他に、図１４（ａ）（ｂ）に示すように、補強支持片２３を有する断面略Ｌ字状のベース部材Ｂ（ＭＢ）と、延設片７１を介さずに上向き保持片４５及び下向き保持片４６を断熱材支持片２１に直接形成した受け部材Ｈ（ＭＨ）とで構成された壁材留具Ａ（中間金具Ｍ）を例示することができる。この場合、図１４（ａ）のように、固定片２０を断熱材支持片２１の上側と下側の両方に突出する形態や、図１４（ｂ）のように、固定片２０を断熱材支持片２１の上側のみに突出する形態に形成することができる。その他の構成は上記の実施の形態と同様である。
【符号の説明】
【００４６】
Ａ  壁材留具
Ｂ  ベース部材
Ｈ  受け部材
２  壁下地
３  断熱材
４  外装材
２０  固定片
２１  断熱材支持片
２２  外装材保持部
２３  補強支持片
２５  表面当接部
２６  裏面当接部
３０  係止部
【図１】
2010255234.tif 000003
【図２】
2010255234.tif 000004
【図３】
2010255234.tif 000005
【図４】
2010255234.tif 000006
【図５】
2010255234.tif 000007
【図６】
2010255234.tif 000008
【図７】
2010255234.tif 000009
【図８】
2010255234.tif 000010
【図９】
2010255234.tif 000011
【図１０】
2010255234.tif 000012
【図１１】
2010255234.tif 000013
【図１２】
2010255234.tif 000014
【図１３】
2010255234.tif 000015
【図１４】
2010255234.tif 000016
【図１５】
2010255234.tif 000017